(57)【特許請求の範囲】
【請求項１】
光を出射する光源と、
光を透過させる光源カバーと、
前記光源と前記光源カバーとの間に配置され、光を反射する反射部材と、
を備え、
前記光源カバーは、
前記光源の光軸中心線が交差する透過部と、
前記光軸中心線に沿って延びており、前記光軸中心線に対向する第１壁部と、
を含み、
前記第１壁部は、光を透過するとともに、光を散乱する、照明器具。
【請求項２】
前記第１壁部の光透過率は、前記透過部の光透過率よりも小さい、請求項１に記載の照明器具。
【請求項３】
前記第１壁部は、壁本体と、前記壁本体の壁面に形成される光制御部とを含み、
前記光制御部は、凸凹形状を有する、請求項２に記載の照明器具。
【請求項４】
前記光制御部は、各々が前記第１壁部の延びる方向に沿って延びる複数の凸部を含む、請求項３に記載の照明器具。
【請求項５】
前記第１壁部は、壁本体と、前記壁本体の壁面に形成される光制御部とを含み、
前記光制御部は、前記透過部の光反射率よりも大きい光反射率を有し、又は前記透過部の光吸収率よりも大きい光吸収率を有する、請求項２に記載の照明器具。
【請求項６】
前記光制御部は、前記壁本体において、前記光源カバーに光が入射する側の壁面及び前記光源カバーから光が出射する側の壁面うちの一方又は双方に形成される、請求項３から請求項５のいずれか１項に記載の照明器具。
【請求項７】
前記光源カバーは、前記光軸中心線に沿って延びる第２壁部をさらに含み、
前記第２壁部は、前記第１壁部に対向する、請求項１から請求項６のいずれか１項に記載の照明器具。
【請求項８】
光を透過させる透過部と、
前記透過部から延びる壁部と
を備え、
前記壁部の光透過率は、前記透過部の光透過率よりも小さく、
前記壁部は、光を透過するとともに、光を散乱する、光源カバー。
【発明の詳細な説明】
【技術分野】
【０００１】
本発明は、照明器具及び光源カバーに関する。
【背景技術】
【０００２】
照明器具は、グレア（つまり、まぶしさ）又はフレア（つまり、弱い不要光）を低減させるためのルーバーを備えていることがある。
【０００３】
特許文献１に記載された照明器具は、光源と、反射板と、ルーバーとを備える。ルーバーは、光源からの直射光および反射板からの反射光に起因するグレアを低減する。
【先行技術文献】
【特許文献】
【０００４】
【特許文献１】特開２０１０−１７０９５７号公報
【発明の概要】
【発明が解決しようとする課題】
【０００５】
しかしながら、特許文献１に記載された照明器具では、光源カバーを設けた場合、光源カバーとルーバーとがそれぞれ個別の部材となる。従って、照明器具の部品点数が増加する。
【０００６】
本発明は上記課題に鑑みてなされたものであり、その目的は、グレア又はフレアを低減しつつ、部品点数の増加を抑制できる照明器具及び光源カバーを提供することにある。
【課題を解決するための手段】
【０００７】
本願に開示する照明器具は、光源と、光源カバーと、反射部材とを備える。光源は、光を出射する。光源カバーは、光を透過させる。反射部材は、前記光源と前記光源カバーとの間に配置され、光を反射する。前記光源カバーは、透過部と、第１壁部とを含む。透過部に、前記光源の光軸中心線が交差する。第１壁部は、前記光軸中心線に沿って延びており、前記光軸中心線に対向する。前記第１壁部は、光を透過するとともに、光を散乱する。
【０００８】
本願に開示する照明器具において、前記第１壁部の光透過率は、前記透過部の光透過率よりも小さいことが好ましい。
【０００９】
本願に開示する照明器具において、前記第１壁部は、壁本体と、前記壁本体の壁面に形成される光制御部とを含むことが好ましい。前記光制御部は、凸凹形状を有することが好ましい。
【００１０】
本願に開示する照明器具において、前記光制御部は、各々が前記第１壁部の延びる方向に沿って延びる複数の凸部を含むことが好ましい。
【００１１】
本願に開示する照明器具において、前記第１壁部は、壁本体と、前記壁本体の壁面に形成される光制御部とを含むことが好ましい。前記光制御部は、前記透過部の光反射率よりも大きい光反射率を有し、又は前記透過部の光吸収率よりも大きい光吸収率を有することが好ましい。
【００１２】
本願に開示する照明器具において、前記光制御部は、前記壁本体において、前記光源カバーに光が入射する側の壁面及び前記光源カバーから光が出射する側の壁面うちの一方又は双方に形成されることが好ましい。
【００１３】
本願に開示する照明器具において、前記光源カバーは、前記光軸中心線に沿って延びる第２壁部をさらに含むことが好ましい。前記第２壁部は、前記第１壁部に対向することが好ましい。
【００１４】
本願に開示する光源カバーは、光を透過させる透過部と、前記透過部から延びる壁部とを備える。前記壁部の光透過率は、前記透過部の光透過率よりも小さい。前記壁部は、光を透過するとともに、光を散乱する。
【発明の効果】
【００１５】
本発明によれば、グレア又はフレアを低減しつつ、部品点数の増加を抑制できる。
【図面の簡単な説明】
【００１６】
【図１】本発明の実施形態１に係る照明器具を示す側面図である。
【図２】本発明の実施形態１に係る照明器具を示す正面図である。
【図３】本発明の実施形態１に係る照明器具の灯具本体を示す断面図である。
【図４】本発明の実施形態１に係る照明器具の光源カバーを示す断面図である。
【図５】本発明の実施形態１に係る照明器具の光源カバーを光出射側から示す平面図である。
【図６】本発明の実施形態１に係る照明器具の光源カバーを光出射側から示す斜視図である。
【図７】本発明の実施形態１に係る照明器具の光源カバーを光入射側から示す平面図である。
【図８】本発明の実施形態１に係る照明器具の光源カバーを光入射側から示す斜視図である。
【図９】本発明の実施形態１に係る照明器具の光源カバーの一部を拡大し、光出射側から示す斜視図である。
【図１０】本発明の実施形態１に係る照明器具の光源カバーの一部を拡大し、光入射側から示す斜視図である。
【図１１】本発明の実施形態１に係る照明器具の光源カバーの第２筒状壁部の配置を示す断面図である。
【図１２】本発明の実施形態２に係る照明器具の光源カバーを示す断面図である。
【図１３】本発明の実施形態２に係る照明器具の光源カバーを光入射側から示す斜視図である。
【発明を実施するための形態】
【００１７】
以下、本発明の実施形態について、図面を参照しながら説明する。なお、図中、同一または相当部分については同一の参照符号を付して説明を繰り返さない。
【００１８】
（実施形態１）
図１は、本発明の実施形態１に係る照明器具１を示す側面図である。図２は、照明器具１を示す正面図である。図３は、照明器具１の灯具本体３を示す断面図である。
【００１９】
図１〜図３に示すように、照明器具１は、プラグ式のスポットライトである。照明器具１は、灯具本体３と、アーム５と、プラグユニット７と、コード９とを備える。アーム５は灯具本体３を保持する。アーム５は、プラグユニット７に、軸線Ａ１の周りに回転可能に連結される。従って、灯具本体３は、軸線Ａ１の周りに回転可能である。
【００２０】
プラグユニット７は、灯具本体３に内部電源電圧を供給する電源部８を含む。電源部８に接続されるコード９は、プラグユニット７から引き出され、灯具本体３に接続される。コード９は、電源部８が生成した内部電源電圧を灯具本体３に供給する。プラグユニット７は、配線ダクト１１に装着される。そして、電源部８には、配線ダクト１１から外部電源電圧が供給される。電源部８は、外部電源電圧に基づいて内部電源電圧を生成する。配線ダクト１１は、長尺状であり、天井のような天壁１３に固定される。
【００２１】
灯具本体３は、軸線Ａ２の周りに回転可能である。灯具本体３が回転されて、灯具本体３の姿勢が定められると、アーム５は、灯具本体３の姿勢が一定に維持されるように、灯具本体３を保持する。灯具本体３は、光源２１と、反射部材２３と、光源カバー２５と、ヒートシンク２７と、外装部材２９とを含む。
【００２２】
光源２１は、光を出射する。光源２１は、ＬＥＤ（Ｌｉｇｈｔ  Ｅｍｉｔｔｉｎｇ  Ｄｉｏｄｅ）群２１ａと、基板２１ｂとを含む。ＬＥＤ群２１ａは複数のＬＥＤを含む。ＬＥＤ群２１ａは、略円形状又は略多角形状の領域を形成する。ＬＥＤ群２１ａは、略円形状又は略多角形状の基板２１ｂの実装面に実装される。ＬＥＤ群２１ａは、ＣＯＢ（Ｃｈｉｐ  ｏｎ  Ｂｏａｒｄ）タイプである。ＣＯＢタイプは、複数のＬＥＤを蛍光体で封止することによりＬＥＤ群２１ａを形成するタイプである。なお、ＬＥＤ群２１ａは、ＳＭＤ（Ｓｕｒｆａｃｅ  Ｍｏｕｎｔ  Ｄｅｖｉｃｅ）タイプであってもよい。ＳＭＤタイプは、ＬＥＤと蛍光体とを１ユニット化してＬＥＤチップを形成し、複数のＬＥＤチップを基板２１ｂの実装面に載置して基板２１ｂの導電パターンに電気的に接続することによりＬＥＤ群２１ａを形成するタイプである。また、ＬＥＤ群２１ａに代えて、１つのＬＥＤを基板２１ｂに実装してもよい。
【００２３】
反射部材２３は、光源２１と光源カバー２５との間に配置される。そして、反射部材２３は、光源２１が出射した光を反射する。反射部材２３は、中空の略円錐台状であり、小径の開口部３１と大径の開口部３３とを有する。開口部３１及び開口部３３の各々は略円形状である。開口部３１の近傍には、開口部３１から露出するように、光源２１が配置されている。少なくとも反射部材２３の内面は、光源２１が出射した光を効率良く反射するために、白色塗装、銀色塗装、又は光沢のある金属メッキなどの反射加工が施されていることが好ましい。反射部材２３の素材が白色又は銀色等の光反射率の高い色彩を有していてもよい。例えば、反射部材２３は反射鏡である。
【００２４】
光源カバー２５は、反射部材２３の開口部３３を塞いでいる。光源カバー２５は、一定間隔をおいて光源２１に対向する。そして、光源カバー２５は、光源２１が出射した光と反射部材２３が反射した光とを透過させ、光照射領域に向けて光を出射する。光源２１の光軸中心線ＬＡは光源カバー２５と交差する。光軸中心線ＬＡは、ＬＥＤ群２１ａに直交し、ＬＥＤ群２１ａの中心を通る。
【００２５】
ヒートシンク２７は、光源２１の発する熱を放散する。具体的には、光源２１の基板２１ｂの実装面の裏面がヒートシンク２７の吸熱面に接している。従って、光源２１が発した熱は、ヒートシンク２７に伝達され、ヒートシンク２７によって放散される。その結果、光源２１の異常な温度上昇を抑制できる。ヒートシンク２７は、伝熱性の高い材料で形成されており、例えば金属で形成されていることが好ましい。金属の中でも、成形加工の容易性や照明器具１の軽量化を考慮し、例えばアルミニウムまたはアルミニウム合金で形成されていることが好ましい。
【００２６】
外装部材２９は、略円筒状であり、大径の開口部３５と、切欠部３７と、小径の開口部３９とを有する。開口部３５及び開口部３９の各々は略円形状である。外装部材２９は、反射部材２３と、光源カバー２５の側面と、ヒートシンク２７の一部とを覆う。光源カバー２５は、開口部３５を介して露出している。ヒートシンク２７は、切欠部３７及び開口部３９から露出している。従って、ヒートシンク２７の放熱効果を向上できる。アーム５は、ヒートシンク２７のうち切欠部３７から露出している部分を保持している。
【００２７】
図４〜図８を参照して、光源カバー２５について説明する。図４は、光源カバー２５を示す断面図である。図４は、図７のＩＶ−ＩＶ線に沿った断面図を示している。図５は、光源カバー２５を光出射側から示す平面図である。図６は、光源カバー２５を光出射側から示す斜視図である。図７は、光源カバー２５を光入射側から示す平面図である。図８は、光源カバー２５を光入射側から示す斜視図である。
【００２８】
図４〜図８に示すように、光源カバー２５は、ルーバー部６０と、第１透過部６５（透過部）と、鍔部８０とを備える。ルーバー部６０と、第１透過部６５と、鍔部８０とは、一体成形されて、光源カバー２５が形成される。従って、実施形態１によれば、光源カバーとルーバーとがそれぞれ個別の部材である場合と比較して、照明器具１の部品点数の増加を抑制できる。また、照明器具１の組立工数を削減できる。加えて、ルーバー部６０によって、グレア（つまり、まぶしさ）及び／又はフレア（つまり、弱い不要光）を低減できる。
【００２９】
光源カバー２５は、例えば、透明色又は半透明色を有する。光源カバー２５は、例えば、合成樹脂（例えば、アクリル又はポリカーボネート）又はガラスにより形成される。
【００３０】
第１透過部６５は略円板状である。光軸中心線ＬＡが第１透過部６５の中心と交差している。第１透過部６５は光を透過させる。具体的には、第１透過部６５は、光源２１からの直接光と反射部材２３からの反射光とを透過させる。直接光は、光源２１が出射し、反射されることなく、光源カバー２５に到達する光である。反射光は、光源２１が出射し、反射部材２３によって反射されて、光源カバー２５に到達する光である。
【００３１】
鍔部８０は、略円環状の平板である。鍔部８０の外径及び内径の各々は、第１透過部６５の外径よりも大きい。第１透過部６５は、鍔部８０に対して光源２１の側へ凹んでおり、鍔部８０よりも光源２１に近い位置に形成される。
【００３２】
ルーバー部６０は、第１透過部６５と鍔部８０との間に形成される。ルーバー部６０は、光源２１からの直接光及び反射部材２３からの反射光に起因するグレア及び／又はフレアを低減する。
【００３３】
ルーバー部６０は、断面略鉤状である。具体的には、ルーバー部６０は、第１筒状壁部５１（第１壁部又は壁部）と、第２筒状壁部５２（第２壁部又は壁部）と、第２透過部５３とを含む。
【００３４】
第２透過部５３は、略円環状の平板であり、第１筒状壁部５１と第２筒状壁部５２との間に形成される。第２透過部５３は光を透過させる。具体的には、第２透過部５３は、光源２１からの直接光と反射部材２３からの反射光とを透過させる。例えば、第２透過部５３は、反射部材２３からの反射光Ｌ０を透過させ、光照射領域に向けて反射光Ｌ０を出射する。反射光Ｌ０は、例えば、光軸中心線ＬＡに略平行である。従って、第２透過部５３を設けることによって、照明のために効果的な反射光Ｌ０を出射できるため、光源２１が出射する光を効率的に利用できる。第２透過部５３の光透過率は第１透過部６５の光透過率と略同一である。
【００３５】
本明細書において、光透過率とは、物体への入射光の強度Ｔ０と物体からの出射光の強度Ｔ１との比率（Ｔ１／Ｔ０）のことである。
【００３６】
第１筒状壁部５１は略円筒状である。第１筒状壁部５１と第１透過部６５とで、有底円筒体が形成される。第１筒状壁部５１は、鍔部８０から離れるように、第１透過部６５の外縁から光源２１に向かって延びている。第１筒状壁部５１は光軸中心線ＬＡに沿って延びている。第１筒状壁部５１は、光軸中心線ＬＡに対向し、光軸中心線ＬＡの周囲に形成される。
【００３７】
第１筒状壁部５１の光透過率は、第１透過部６５の光透過率よりも小さい。具体的には、第１筒状壁部５１は、壁本体４１と、第１光制御部４２（光制御部）と、第２光制御部４３（光制御部）と、第３光制御部４４（光制御部）とを含む。
【００３８】
壁本体４１は略円筒状である。壁本体４１の光透過率は第１透過部６５の光透過率と略同一である。
【００３９】
第１光制御部４２は、壁本体４１の内壁面（壁面）に形成される。壁本体４１の内壁面は、壁本体４１において、光源カバー２５に光が入射する側の壁面である。第１光制御部４２は、第１筒状壁部５１の光透過率が第１透過部６５の光透過率よりも小さくなるように、壁本体４１を透過する光の強度を低減させる。具体的には、第１光制御部４２は、第１光制御部４２に入射する光（例えば、直接光Ｌ１）のうち壁本体４１に入射する光を拡散させ、第１光制御部４２に入射する光（例えば、直接光Ｌ１）のうち壁本体４１を透過する光の強度を、光源２１からの直接光のうち第１透過部６５を透過する光の強度よりも低減させる。従って、第１光制御部４２によって、例えば、直接光Ｌ１に起因するグレア及び／又はフレアを低減できる。直接光Ｌ１は、光源２１が出射し、光軸中心線ＬＡに対して斜行する光である。なお、本実施形態における「直接光Ｌ１」は、図中の矢印に示す方向へ進行し光源カバー２５に到達する光であって、光源２１から光源カバー２５に直接到達する光が大半を占めるが、反射部材２３で反射した光も含まれる場合がある。
【００４０】
また、第１光制御部４２は、第１筒状壁部５１の光透過率が第１透過部６５の光透過率よりも小さくなるように、壁本体４１を通って第１光制御部４２から出射する光の強度を低減させる。さらに、第１光制御部４２は、壁本体４１を通って第１光制御部４２から出射する光を散乱させる。従って、第１光制御部４２によって、グレア及び／又はフレアを更に低減できる。
【００４１】
本明細書において、光の強度は、例えば、単位面積当たりの光束によって表される。
【００４２】
第２光制御部４３は、壁本体４１の外壁面（壁面）に形成される。壁本体４１の外壁面は、壁本体４１において、光源カバー２５から光が出射する側の壁面である。第２光制御部４３は、第１筒状壁部５１の光透過率が第１透過部６５の光透過率よりも小さくなるように、第２光制御部４３に入射する光（例えば、反射光Ｌ２）のうち壁本体４１を透過する光の強度を低減させる。従って、第２光制御部４３によって、例えば、反射光Ｌ２に起因するグレア及び／又はフレアを低減できる。反射光Ｌ２は、光源２１が出射し、反射部材２３によって反射されて、光軸中心線ＬＡに対して斜行する光である。
【００４３】
また、第２光制御部４３は、第１筒状壁部５１の光透過率が第１透過部６５の光透過率よりも小さくなるように、壁本体４１を通って第２光制御部４３から出射する光の強度を低減させる。さらに、第２光制御部４３は、壁本体４１を通って第２光制御部４３から出射する光を散乱させる。従って、第２光制御部４３を設けることによって、グレア及び／又はフレアを更に低減できる。
【００４４】
第３光制御部４４は、壁本体４１の互いに対向する２つの端壁面のうち、光源２１から遠い端壁面（壁面）に形成される。端壁面は、壁本体４１の端面である。第３光制御部４４は、第１筒状壁部５１の光透過率が第１透過部６５の光透過率よりも小さくなるように、壁本体４１を通って第３光制御部４４から出射する光の強度を低減させる。さらに、第３光制御部４４は、壁本体４１を通って第３光制御部４４から出射する光を散乱させる。従って、第３光制御部４４によって、グレア及び／又はフレアを更に低減できる。
【００４５】
第２筒状壁部５２は略円筒状である。第２筒状壁部５２は、鍔部８０の内縁から光源２１に向かって延びている。第２筒状壁部５２は光軸中心線ＬＡに沿って延びている。第２筒状壁部５２は、第１筒状壁部５１に対向し、第１筒状壁部５１の周囲に形成される。第２筒状壁部５２の内径は、第１筒状壁部５１の外径よりも大きい。
【００４６】
第２筒状壁部５２の光透過率は、第１透過部６５の光透過率よりも小さい。具体的には、第２筒状壁部５２は、壁本体４８と、第４光制御部４５（光制御部）と、第５光制御部４６（光制御部）と、第６光制御部４７（光制御部）とを含む。
【００４７】
壁本体４８は略円筒状である。壁本体４８の光透過率は第１透過部６５の光透過率と略同一である。
【００４８】
第４光制御部４５は、壁本体４８の内壁面（壁面）に形成される。壁本体４８の内壁面は、壁本体４８において、光源カバー２５から光が出射する側の壁面である。第４光制御部４５は、第２筒状壁部５２の光透過率が第１透過部６５の光透過率よりも小さくなるように、第４光制御部４５に入射する光（例えば、直接光Ｌ３）のうち壁本体４８を透過する光の強度を低減させる。従って、第４光制御部４５によって、例えば、直接光Ｌ３に起因するグレア及び／又はフレアを低減できる。直接光Ｌ３は、直接光Ｌ１と同様の光である。
【００４９】
また、第４光制御部４５は、壁本体４８を通って第４光制御部４５から出射する光の強度を低減させる。さらに、第４光制御部４５は、壁本体４８を通って第４光制御部４５から出射する光を散乱させる。従って、第４光制御部４５によって、グレア及び／又はフレアを更に低減できる。
【００５０】
第５光制御部４６は、壁本体４８の外壁面（壁面）に形成される。壁本体４８の外壁面は、壁本体４８において、光源カバー２５に光が入射する側の壁面である。第５光制御部４６は、第２筒状壁部５２の光透過率が第１透過部６５の光透過率よりも小さくなるように、壁本体４８を透過する光の強度を低減させる。具体的には、第５光制御部４６は、第５光制御部４６に入射する光（例えば、反射光Ｌ４）のうち壁本体４８を透過する光の強度を、反射部材２３からの反射光のうち第１透過部６５を透過する光の強度よりも低減させる。従って、第５光制御部４６によって、例えば、反射光Ｌ４に起因するグレア及び／又はフレアを低減できる。反射光Ｌ４は反射光Ｌ２と同様の光である。
【００５１】
また、第５光制御部４６は、第２筒状壁部５２の光透過率が第１透過部６５の光透過率よりも小さくなるように、壁本体４８を通って第５光制御部４６から出射する光の強度を低減させる。さらに、第５光制御部４６は、壁本体４８を通って第５光制御部４６から出射する光を散乱させる。従って、第５光制御部４６によって、グレア及び／又はフレアを更に低減できる。
【００５２】
第６光制御部４７は、壁本体４８の互いに対向する２つの端壁面のうち、光源２１から遠い端壁面（壁面）に形成される。端壁面は、壁本体４８の端面である。第６光制御部４７は、第２筒状壁部５２の光透過率が第１透過部６５の光透過率よりも小さくなるように、壁本体４８を通って第６光制御部４７から出射する光の強度を低減させる。さらに、第６光制御部４７は、壁本体４８を通って第６光制御部４７から出射する光を散乱させる。従って、第６光制御部４７によって、グレア及び／又はフレアを更に低減できる。
【００５３】
以上、図４〜図８を参照して説明したように、実施形態１によれば、光源カバー２５は、光軸中心線ＬＡに沿って延びる第１筒状壁部５１を有する。従って、第１筒状壁部５１は、光軸中心線ＬＡに対して斜行する直接光（例えば、直接光Ｌ１）及び光軸中心線ＬＡに対して斜行する反射光（例えば、反射光Ｌ２）が、光源カバー２５から光照射領域に向けて出射されることを抑制する。その結果、グレア及び／又はフレアを抑制できる。また、第１筒状壁部５１の光透過率は、第１透過部６５の光透過率よりも小さい。従って、第１筒状壁部５１は、光軸中心線ＬＡに対して斜行する直接光及び光軸中心線ＬＡに対して斜行する反射光が、光源カバー２５から光照射領域に向けて出射されることを更に抑制する。その結果、グレア及び／又はフレアを更に抑制できる。さらに、光源カバー２５に光が入射する側と光源カバー２５から光が出射する側との双方に、光制御部（第１光制御部４２〜第３光制御部４４）を設けている。従って、グレア及び／又はフレアを更に抑制できる。
【００５４】
また、実施形態１によれば、光源カバー２５は、第１筒状壁部５１に加えて、光軸中心線ＬＡに沿って延びる第２筒状壁部５２をさらに有する。第２筒状壁部５２は、第１筒状壁部５１と同様の構成及び機能を有するため、グレア及び／又はフレアを更に抑制できる。
【００５５】
さらに、実施形態１によれば、光源カバー２５は、第１透過部６５及び鍔部８０に加えて、第１筒状壁部５１及び第２筒状壁部５２を有する。従って、第１透過部６５と鍔部８０と第１筒状壁部５１と第２筒状壁部５２とを一体成形して、光源カバー２５を形成できる。その結果、光源カバーとルーバーとがそれぞれ個別の部材である場合と比較して、照明器具１の部品点数の増加を抑制できるとともに、照明器具１の組立工数を削減できる。
【００５６】
次に、図５、図６、及び図９を参照して、第２光制御部４３〜第６光制御部４７について説明する。図９は、図６の領域Ｂ１を拡大して示している。
【００５７】
図５、図６、及び図９に示すように、第２光制御部４３は、凸凹形状を有する。具体的には、第２光制御部４３は、複数の凸部７１を含む。複数の凸部７１の各々は、断面略三角形状であり、光軸中心線ＬＡに沿って延びている。つまり、複数の凸部７１の各々は、第１筒状壁部５１の延びる方向に沿って延びる。また、複数の凸部７１は、互いに略平行になるように形成される。つまり、複数の凸部７１は、第１筒状壁部５１の周方向に沿って並んでいる。なお、図６では、図面の簡略化のため、凸部７１を省略している。
【００５８】
第３光制御部４４は、凸凹形状を有する。具体的には、第３光制御部４４は、複数の凸部７２を含む。複数の凸部７２の各々は、断面略三角形状である。複数の凸部７２の各々は、第１透過部６５の径方向に沿って延びている。つまり、複数の凸部７２の各々は、光軸中心線ＬＡに略直交する方向に沿って延びている。複数の凸部７２は、互いに略平行になるように形成される。つまり、複数の凸部７２は、第１筒状壁部５１の周方向に沿って並んでいる。
【００５９】
第４光制御部４５は、凸凹形状を有する。具体的には、第４光制御部４５は、複数の凸部７３を含む。複数の凸部７３の各々は、断面略三角形状であり、光軸中心線ＬＡに沿って延びている。つまり、複数の凸部７３の各々は、第２筒状壁部５２の延びる方向に沿って延びる。複数の凸部７３は、互いに略平行になるように形成される。つまり、複数の凸部７３は、第２筒状壁部５２の周方向に沿って並んでいる。
【００６０】
第５光制御部４６は、凸凹形状を有する。具体的には、第５光制御部４６は、複数の凸部７４を含む。複数の凸部７４の各々は、断面略三角形状であり、光軸中心線ＬＡに沿って延びている。つまり、複数の凸部７４の各々は、第２筒状壁部５２の延びる方向に沿って延びる。複数の凸部７４は、互いに略平行になるように形成される。つまり、複数の凸部７４は、第２筒状壁部５２の周方向に沿って並んでいる。
【００６１】
第６光制御部４７は、凸凹形状を有する。具体的には、第６光制御部４７は、複数の凸部７５を含む。複数の凸部７５の各々は、断面略三角形状である。複数の凸部７５の各々は、第１透過部６５の径方向に沿って延びている。つまり、複数の凸部７５の各々は、光軸中心線ＬＡに略直交する方向に沿って延びている。複数の凸部７５は、互いに略平行になるように形成される。つまり、第２筒状壁部５２の周方向に沿って並んでいる。
【００６２】
図７、図８、及び図１０を参照して、第１光制御部４２について説明する。図１０は、図８の領域Ｂ２を拡大して示している。
【００６３】
図７、図８、及び図１０に示すように、第１光制御部４２は、凸凹形状を有する。具体的には、第１光制御部４２は、複数の凸部７０を含む。複数の凸部７０の各々は、断面略三角形状であり、光軸中心線ＬＡに沿って延びている。つまり、複数の凸部７０の各々は、第１筒状壁部５１の延びる方向に沿って延びる。複数の凸部７０は、互いに略平行になるように形成される。つまり、複数の凸部７０は、第１筒状壁部５１の周方向に沿って並んでいる。
【００６４】
以上、図５〜図１０を参照して説明したように、実施形態１によれば、第１筒状壁部５１の第１光制御部４２〜第３光制御部４４および第２筒状壁部５２の第４光制御部４５〜第６光制御部４７は、凸凹形状を有する。従って、光を効果的に散乱又は乱反射できるため、第１筒状壁部５１の光透過率を容易に小さくできる。その結果、グレア及び／又はフレアを更に抑制できる。
【００６５】
また、実施形態１によれば、第１光制御部４２及び第２光制御部４３は、それぞれ、第１筒状壁部５１の延びる方向に沿って延びる凸部７０及び凸部７１を含み、第４光制御部４５及び第５光制御部４６は、それぞれ、第２筒状壁部５２の延びる方向に沿って延びる凸部７３及び凸部７４を含む。従って、光源カバー２５を、第１光制御部４２〜第６光制御部４７とともに、金型により一体成形することができる。その結果、第１光制御部４２、第２光制御部４３、第４光制御部４５、及び第５光制御部４６を、ブラスト処理又は塗装処理のような後処理によって形成することが不要であり、光源カバー２５の製造工数を削減できる。
【００６６】
すなわち、金型を抜く方向が第１筒状壁部５１及び第２筒状壁部５２の延びる方向に略一致する場合、凸部７０、凸部７１、凸部７３、及び凸部７４を第１筒状壁部５１及び第２筒状壁部５２の延びる方向に沿って延びるように設計すると、金型で凸部７０、凸部７１、凸部７３、及び凸部７４を形成できる。その結果、金型によって、光源カバー２５を第１光制御部４２〜第６光制御部４７と同時に成形できる。
【００６７】
次に、図１１を参照して、第２筒状壁部５２の配置について説明する。図１１は、第２筒状壁部５２の配置を示す断面図である。図１１に示すように、ＬＥＤ群２１ａは発光面２４を形成する。ＬＥＤ群２１ａは、例えば、光ＬＮ１、光ＬＮ２、光ＬＮ３、及び光ＬＮ４を出射する。
【００６８】
光ＬＮ１は、発光面２４の第１端部２６Ｕ（図中上端部）と開口部３５の開口縁３０とを結ぶ直線上に、第１端部２６Ｕから出射する直接光を示す。光ＬＮ２は、発光面２４の第２端部２６Ｌ（図中下端部）と開口縁３０とを結ぶ直線上に、第２端部２６Ｌから出射する直接光を示す。光ＬＮ３は、第２筒状壁部５２よりも外側を通るように、第１端部２６Ｕから出射する直接光を示す。光ＬＮ４は、第２筒状壁部５２よりも外側を通るように、第２端部２６Ｌから出射する直接光を示す。第１端部２６Ｕと第２端部２６Ｌとは互いに対向している。第１端部２６Ｕは、発光面２４において、光軸中心線ＬＡに略直交する方向に沿った一方端部を示す。第２端部２６Ｌは、発光面２４において、光軸中心線ＬＡに略直交する方向に沿った他方端部を示す。
【００６９】
第２筒状壁部５２は、第１端部２６Ｕと開口縁３０とを結ぶ直線上に配置されるとともに、第２端部２６Ｌと開口縁３０とを結ぶ直線上に配置される。従って、光ＬＮ１及び光ＬＮ２は、第２筒状壁部５２を通って散乱される。その結果、人間ＨＭが斜め方向から灯具本体３を見たときのグレアを低減できる。また、光ＬＮ３は外装部材２９の内面で反射され、光ＬＮ４は反射部材２３で反射される。従って、光ＬＮ３及び光ＬＮ４は、斜め方向に位置する人間ＨＭに向かって出射されない。その結果、グレアの発生する可能性は小さい。
【００７０】
（実施形態２）
図１、図１２、及び図１３を参照して、本発明の実施形態２に係る照明器具１について説明する。図１、図１２、及び図１３に示すように、実施形態２に係る照明器具１は、実施形態１に係る光源カバー２５に代えて、光源カバー２５Ａを備える。実施形態２では、光源カバー２５Ａが１つの壁部を有する点で、２つの壁部（第１筒状壁部５１、第２筒状壁部５２）を有する実施形態１に係る光源カバー２５と異なる。以下、実施形態２が実施形態１と異なる点を主に説明する。
【００７１】
図１２は、実施形態２に係る照明器具１の光源カバー２５Ａを示す断面図である。図１３は、光源カバー２５Ａを光入射側から示す斜視図である。
【００７２】
光源カバー２５Ａは、光源２１が出射した光と反射部材２３が反射した光とを透過させ、光照射領域に向けて光を出射する。光源カバー２５Ａは、一定間隔をおいて光源２１に対向する。光源２１の光軸中心線ＬＡは光源カバー２５Ａと交差する。
【００７３】
光源カバー２５Ａは、略ハット状である。光源カバー２５Ａは、ルーバー部６０と、第１透過部６５（以下、「透過部６５」と記載する。）と、鍔部８０とを備える。ルーバー部６０と、透過部６５と、鍔部８０とは、一体成形されて、光源カバー２５Ａが形成される。光源カバー２５Ａは、光源カバー２５と同様の色彩及び素材によって形成される。
【００７４】
ルーバー部６０は、透過部６５と鍔部８０との間に形成される。ルーバー部６０は、光源２１からの直接光及び反射部材２３からの反射光に起因するグレア及び／又はフレアを低減する。
【００７５】
ルーバー部６０は第３筒状壁部８６（第１壁部又は壁部）を含む。第３筒状壁部８６は略円筒状である。第３筒状壁部８６は、透過部６５と鍔部８０との間に形成される。第３筒状壁部８６は、透過部６５の外縁から鍔部８０の内縁に向かって延びている。第３筒状壁部８６は光軸中心線ＬＡに沿って延びている。第３筒状壁部８６は、光軸中心線ＬＡに対向し、光軸中心線ＬＡの周囲に形成される。第３筒状壁部８６の配置は、図１１を参照して説明した第２筒状壁部５２の配置と同様である。
【００７６】
第３筒状壁部８６の光透過率は、透過部６５の光透過率よりも小さい。具体的には、第３筒状壁部８６は、第７光制御部８１（光制御部）と、第８光制御部８２（光制御部）と、第９光制御部８３（光制御部）と、第１０光制御部８４（光制御部）と、壁本体８５とを含む。
【００７７】
壁本体８５は略円筒状である。壁本体８５の光透過率は透過部６５の光透過率と略同一である。
【００７８】
第７光制御部８１は、壁本体８５の内壁面（壁面）に形成される。壁本体８５の内壁面は、壁本体８５において、光源カバー２５Ａから光が出射する側の壁面である。第７光制御部８１の構成及び機能は、実施形態１に係る第４光制御部４５の構成及び機能と同様である。従って、第７光制御部８１によって、グレア及び／又はフレアを低減できる。例えば、第７光制御部８１は、凸凹形状を有し、実施形態１に係る凸部７３と同様の凸部を含む。
【００７９】
第８光制御部８２は、壁本体８５の互いに対向する２つの端壁面のうち、光源２１から遠い端壁面（壁面）に形成される。端壁面は、壁本体８５の端面である。第８光制御部８２の構成及び機能は、実施形態１に係る第６光制御部４７の構成及び機能と同様である。従って、第８光制御部８２によって、グレア及び／又はフレアを更に低減できる。例えば、第８光制御部８２は、凸凹状であり、実施形態１に係る凸部７５と同様の凸部を含む。
【００８０】
第９光制御部８３は、壁本体８５の外壁面（壁面）に形成される。壁本体８５の外壁面は、壁本体８５において、光源カバー２５Ａに光が入射する側の壁面である。第９光制御部８３の構成及び機能は、実施形態１に係る第５光制御部４６の構成及び機能と同様である。従って、第９光制御部８３によって、グレア及び／又はフレアを更に低減できる。例えば、第９光制御部８３は、凸凹状であり、実施形態１に係る凸部７４と同様の凸部を含む。
【００８１】
第１０光制御部８４は、壁本体８５の互いに対向する２つの端壁面のうち、光源２１に近い端壁面（壁面）に形成される。端壁面は、壁本体８５の端面である。第１０光制御部８４は、第３筒状壁部８６の光透過率が透過部６５の光透過率よりも小さくなるように、壁本体８５を透過する光の強度を低減させる。具体的には、第１０光制御部８４は、第１０光制御部８４に入射する光のうち壁本体８５を透過する光の強度を、光源２１からの直接光のうち透過部６５を透過する光の強度よりも低減させる。従って、第１０光制御部８４によって、グレア及び／又はフレアを低減できる。第１０光制御部８４は、凸凹状であり、例えば、実施形態１に係る第６光制御部４７の凸部７５と同様の凸部を含む。
【００８２】
以上、図１２及び図１３を参照して説明したように、実施形態２によれば、光源カバー２５Ａに第３筒状壁部８６を設けることによって、実施形態１と同様に、グレア又はフレアを低減しつつ、照明器具１の部品点数の増加を抑制できる。その他、実施形態２は、実施形態１と同様の効果を有する。
【００８３】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（９））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００８４】
（１）光制御部（第１光制御部４２〜第６光制御部４７、第７光制御部８１〜第１０光制御部８４）は、凸部（凸部７０〜凸部７５）を含んだ。ただし、光制御部は、実施形態１及び実施形態２に係る凸部と異なる凸部又は凸凹形状を有していてもよい。例えば、凸部は、任意の方向に延びていてもよい。例えば、光制御部は、壁面の表面粗さを第１透過部６５の表面粗さよりも大きくすることにより形成される。
【００８５】
（２）光制御部（第１光制御部４２〜第６光制御部４７、第７光制御部８１〜第１０光制御部８４）は、凸凹形状を有したが、凸凹形状に代えて、又は凸凹形状とともに、第１透過部６５の光反射率よりも大きい光反射率を有していてもよい。この場合、光を効果的に反射できるため、第１筒状壁部５１及び第２筒状壁部５２の光透過率を容易に小さくできる。その結果、グレア及び／又はフレアを更に抑制できる。
【００８６】
例えば、光制御部は、白色の塗料を壁面に塗布することにより形成されたり、白色の膜を壁面に形成することにより形成されたり、鏡面反射を起こす塗料を壁面に塗布することにより形成されたり、鏡面反射を起こすように壁面にメッキを行うことにより形成されたりすることができる。その結果、光制御部は、光を遮断する。
【００８７】
また、光制御部は、凸凹形状に代えて、又は凸凹形状とともに、第１透過部６５の光吸収率よりも大きい光吸収率を有していてもよい。この場合、光を効果的に吸収できるため、第１筒状壁部５１及び第２筒状壁部５２の光透過率を容易に小さくできる。その結果、グレア及び／又はフレアを更に抑制できる。
【００８８】
例えば、光制御部は、黒色の塗料を壁面に塗布することにより形成されたり、黒色の膜を壁面に形成することにより形成されたりすることができる。その結果、光制御部は、光を遮断する。
【００８９】
本明細書において、光反射率とは、物体に入射する光に対する物体が反射する光の割合のことである。光吸収率とは、物体に入射する光に対する物体が吸収する光の割合のことである。
【００９０】
（３）光源カバー２５又は光源カバー２５Ａを、光源２１に対して略１８０度回転させて用いてもよい。つまり、光の出射する側と光の入射する側とを、実施形態１及び実施形態２と逆にしてもよい。
【００９１】
（４）壁部（第１筒状壁部５１、第２筒状壁部５２、第３筒状壁部８６）は、光軸中心線ＬＡを囲んでおり、略円筒状であった。ただし、壁部の一部が切り欠かれ、切欠部が形成されていてもよい。例えば、壁部は、略半円筒状又は断面略円弧状であってもよい。この場合、壁部が人間の存在し得る側（例えば、建物の床側）を向き、切欠部が人間の存在し得ない側（例えば建物の壁側）を向くように、照明器具１を設置することが好ましい。また、壁部は、略円筒状に限定されず、例えば、断面略楕円状であってもよい。
【００９２】
（５）照明器具１は、スポットライトであったが、任意の照明器具であってよい。例えば、光源カバー２５又は光源カバー２５Ａを、ダウンライトとしての照明器具に搭載できる。
【００９３】
（６）実施形態１において、第１透過部６５と鍔部８０とが略面一になるように配置されてもよい。また、第１透過部６５が、鍔部８０に対して、突出するように配置されてもよい。なお、鍔部８０を設けなくてもよい。
【００９４】
（７）実施形態１において、ルーバー部６０は、第１光制御部４２〜第６光制御部４７のうち少なくとも１つを有していてもよい。例えば、ルーバー部６０は、光源カバー２５に光が入射する側の壁面に形成される第１光制御部４２と第５光制御部４６とを有していてもよいし、光源カバー２５から光が出射する側の壁面に形成される第２光制御部４３と第３光制御部４４と第４光制御部４５と第６光制御部４７とを有していてもよい。
【００９５】
また、実施形態１において、ルーバー部６０は、第１１光制御部（光制御部）を有していてもよい。第１１光制御部は、壁本体４１において、第３光制御部４４に対向する端壁面（壁面）に形成される。端壁面は、壁本体４１の端面である。また、ルーバー部６０は、第１２光制御部（光制御部）を有していてもよい。第１２光制御部は、壁本体４８において、第６光制御部４７に対向する端壁面（壁面）に形成される。端壁面は、壁本体４８の端面である。第１１光制御部及び第１２光制御部の構成及び機能は、実施形態２に係る第１０光制御部８４の構成及び機能と同様である。
【００９６】
さらに、実施形態２において、ルーバー部６０は、第７光制御部８１〜第１０光制御部８４のうち少なくとも１つを有していてもよい。
【００９７】
（８）実施形態１において、ルーバー部６０は、第１光制御部４２〜第６光制御部４７を有していなくてもよいし、実施形態２において、ルーバー部６０は、第７光制御部８１〜第１０光制御部８４を有していなくてもよい。これらの場合でも、第１筒状壁部５１、第２筒状壁部５２、及び第３筒状壁部８６は、光軸中心線ＬＡに対して斜行する直接光及び光軸中心線ＬＡに対して斜行する反射光が、光源カバー２５から光照射領域に向けて出射されることを抑制する。その結果、グレア及び／又はフレアを抑制できる。
【００９８】
（９）実施形態１では、２つの壁部（第１筒状壁部５１、第２筒状壁部５２）を設けたが、３以上の壁部を設けてもよい。
【産業上の利用可能性】
【００９９】
本発明は、照明器具及び光源カバーを提供するものであり、産業上の利用可能性を有する。
【符号の説明】
【０１００】
１    照明器具
３    灯具本体
２１    光源
２３    反射部材
２５    光源カバー
２５Ａ    光源カバー
５１    第１筒状壁部（第１壁部、壁部）
４１    壁本体
４２    第１光制御部（光制御部）
４３    第２光制御部（光制御部）
４４    第３光制御部（光制御部）
４５    第４光制御部（光制御部）
４６    第５光制御部（光制御部）
４７    第６光制御部（光制御部）
４８    壁本体
５２    第２筒状壁部（第２壁部、壁部）
６０    ルーバー部
６５    第１透過部（透過部）
８０    鍔部
８１    第７光制御部（光制御部）
８２    第８光制御部（光制御部）
８３    第９光制御部（光制御部）
８４    第１０光制御部（光制御部）
８５    壁本体
８６    第３筒状壁部（第１壁部、壁部）
ＬＡ    光軸中心線
【図１】
0006746279.tif 000002
【図２】
0006746279.tif 000003
【図３】
0006746279.tif 000004
【図４】
0006746279.tif 000005
【図５】
0006746279.tif 000006
【図６】
0006746279.tif 000007
【図７】
0006746279.tif 000008
【図８】
0006746279.tif 000009
【図９】
0006746279.tif 000010
【図１０】
0006746279.tif 000011
【図１１】
0006746279.tif 000012
【図１２】
0006746279.tif 000013
【図１３】
0006746279.tif 000014